(57)【要約】  本発明は格子形スピーカー及びそれを備える格子アレイスピーカーシステムを開示する。本発明による格子形スピーカーは、上部周りが四角形状部を有し、前記四角形状部の切断角部または角部の内側に４つのウーファーフレームが与えられて、その本体全体がホーン形状でありながら上部から見て十字状を有する格子ホーンで具現するツイーターホーンと、前記ツイーターホーンの下部に与えられ、前記ツイーターホーンを通じて高音を再生するツイーター駆動ユニットと、前記４つのウーファーフレーム内にそれぞれ与えられる４つのウーファーホーンと、前記４つのウーファーホーンの下部に与えられ、４つのウーファーホーンを通じて低音を再生するウーファー駆動ユニットとを含むことを特徴とする。
2017520196.tif 000002
【特許請求の範囲】
【請求項１】
格子形スピーカーにおいて、
上部周りが四角形状部を有し、前記四角形状部の切断角部または角部の内側に４つのウーファーフレームが与えられて、その本体全体がホーン形状でありながら上部から見て十字状を有する格子ホーンで具現するツイーターホーンと、
前記ツイーターホーンの下部に与えられ、前記ツイーターホーンを通じて高音を再生するツイーター駆動ユニットと、
前記４つのウーファーフレーム内にそれぞれ与えられる４つのウーファーホーンと、
前記４つのウーファーホーンの下部に与えられ、４つのウーファーホーンを通じて低音を再生するウーファー駆動ユニットとを含む格子形スピーカー。
【請求項２】
前記４つのウーファーホーンは前記ツイーターホーンのツイーター中心軸と平行するウーファー中心軸を基準として前記切断角部の方向に傾斜した状態で与えられるか、または前記ウーファー中心軸と同じ方向に非傾斜状態で与えられる請求項１に記載の格子形スピーカー。
【請求項３】
前記格子形スピーカーは前記４つのウーファーフレームの下部にそれぞれ結合されるウーファーホーンカバーをさらに含み、前記ツイーター駆動ユニットの下部に与えられる低音駆動ユニットを選択的に含む請求項１に記載の格子形スピーカー。
【請求項４】
前記四角形状部が直角の角部を有する場合、前記格子形スピーカーは互いに隣接した前記４つのウーファーフレームの間で前記四角形状部上に与えられる４つのダクトをさらに含む請求項１に記載の格子形スピーカー。
【請求項５】
前記４つのダクトは前記四角形状部で前記ツイーターホーンの前記ホーン形状の一部分まで延長されて与えられる請求項４に記載の格子形スピーカー。
【請求項６】
前記四角形状部が前記切断角部を有する場合、前記格子形スピーカーは前記ツイーターホーン及び前記ツイーター駆動ユニットが内装され、前記切断角部に対応する位置にそれぞれダクトを有する開放型エンクロージャーをさらに含む請求項１〜３の何れか一項に記載の格子形スピーカー。
【請求項７】
前記四角形状部が直角の角部を有する場合、前記格子形スピーカーは前記ツイーターホーン及び前記ツイーター駆動ユニットが内装される密閉型エンクロージャーをさらに含む請求項１〜３の何れか一項に記載の格子形スピーカー。
【請求項８】
前記格子形スピーカーは前記ツイーターホーン及び前記ツイーター駆動ユニットが内装される密閉型エンクロージャーをさらに含む請求項４または５に記載の格子形スピーカー
【請求項９】
格子形スピーカーにおいて、
上部周りが四角形状部を有し、前記四角形状部の切断角部または四角角部の内側上部及び下部にそれぞれ２つの上部ウーファーフレーム及び下部ウーファーフレームが与えられ、その全体的な内部本体の上部及び下部が非対称ホーン形状でありながら上部から見て十字状を有する非対称格子ホーンで具現するツイーターホーンと、
前記ツイーターホーンの下部に与えられ、前記ツイーターホーンを通じて高音を再生するツイーター駆動ユニットと、
前記２つの上部ウーファーフレーム及び下部ウーファーフレーム内にそれぞれ与えられる２つの上部ウーファーホーン及び下部ウーファーホーンと、
前記２つの上部ウーファーホーン及び下部ウーファーホーンの下部にそれぞれ与えられ、前記２つの上部ウーファーホーン及び下部ウーファーホーンを通じて低音を再生するウーファー駆動ユニットとを含む格子形スピーカー。
【請求項１０】
前記非対称格子ホーンは上部ホーン部分の長さが短く、下部ホーン部分の長さが長くて、２つの側面ホーン部分は前記上部ホーン部分と連結された部分の長さが前記下部ホーン部分と連結された部分の長さより短い請求項９に記載の格子形スピーカー。
【請求項１１】
前記格子形スピーカーは前記２つの上部ウーファーフレーム及び下部ウーファーフレームの下部にそれぞれ結合されるウーファーホーンカバーをさらに含み、前記ツイーター駆動ユニットの下部に与えられる低音駆動ユニットを選択的に含む請求項９に記載の格子形スピーカー。
【請求項１２】
前記四角形状部が前記四角角部を有する場合、前記格子形スピーカーは互いに隣接した前記２つの上部ウーファーフレーム及び下部ウーファーフレームの間で前記四角形状部上に与えられる４つのダクトをさらに含む請求項９に記載の格子形スピーカー。
【請求項１３】
前記４つのダクトは前記四角形状部で前記ツイーターホーンの前記非対称ホーン形状の一部分まで延長されて与えられる請求項１２に記載の格子形スピーカー。
【請求項１４】
前記四角形状部が前記切断角部を有する場合、前記格子形スピーカーは前記ツイーターホーン及び前記ツイーター駆動ユニットが内装され、前記切断角部に対応する位置にそれぞれダクトを有する開放型エンクロージャーをさらに含む請求項９〜１１の何れか一項に記載の格子形スピーカー。
【請求項１５】
前記四角形状部が前記四角角部を有する場合、前記格子形スピーカーは前記ツイーターホーン及び前記ツイーター駆動ユニットが内装される密閉型エンクロージャーをさらに含む請求項９〜１１の何れか一項に記載の格子形スピーカー。
【請求項１６】
前記格子形スピーカーは前記ツイーターホーン及び前記ツイーター駆動ユニットが内装される密閉型エンクロージャーをさらに含む請求項１２または１３に記載の格子形スピーカー。
【請求項１７】
格子アレイスピーカーシステムにおいて、
水平方向平面及び垂直方向平面の中の何れか一方向または両方向の平面に沿って連結されるように配列される複数の格子形スピーカーを含み、
前記複数の格子形スピーカーはそれぞれ上部周りが四角形状部を有し、前記四角形状部の切断角部または直角の角部の内側に４つのウーファーフレームが与えられて、その本体全体がホーン形状でありながら上部から見て十字状を有する格子ホーンで具現するツイーターホーンと、
前記ツイーターホーンの下部に与えられ、前記ツイーターホーンを通じて高音を再生するツイーター駆動ユニットと、
前記４つのウーファーフレーム内にそれぞれ与えられる４つのウーファーホーンと、
前記４つのウーファーホーンの下部に与えられ、４つのウーファーホーンを通じて低音を再生するウーファー駆動ユニットとを含む格子アレイスピーカーシステム。
【請求項１８】
前記４つのウーファーホーンは前記ツイーターホーンのツイーター中心軸と平行するウーファー中心軸を基準として前記切断角部の方向に傾斜した状態で与えられるか、または前記ウーファー中心軸と同じ方向に非傾斜状態で与えられる請求項１７に記載の格子アレイスピーカーシステム。
【請求項１９】
前記複数の格子形スピーカーはそれぞれ前記４つのウーファーフレームの下部に結合されるウーファーホーンカバーをさらに含み、前記ツイーター駆動ユニットの下部に与えられる低音駆動ユニットを選択的に含む請求項１７に記載の格子アレイスピーカーシステム。
【請求項２０】
前記四角形状部が前記直角の角部を有する場合、前記複数の格子形スピーカーはそれぞれ互いに隣接した前記４つのウーファーフレームの間で前記四角形状部上に与えられる４つのダクトをさらに含む請求項１７に記載の格子アレイスピーカーシステム。
【請求項２１】
前記４つのダクトは前記四角形状部で前記ツイーターホーンの前記ホーン形状の一部分まで延長されて与えられる請求項２０に記載の格子アレイスピーカーシステム。
【請求項２２】
前記四角形状部が前記切断角部を有する場合、前記複数の格子形スピーカーはそれぞれ前記ツイーターホーン及び前記ツイーター駆動ユニットが内装され、前記切断角部に対応する位置にそれぞれダクトを有する開放型エンクロージャーをさらに含む請求項１７〜１９の何れか一項に記載の格子アレイスピーカーシステム。
【請求項２３】
前記四角形状部が前記直角の角部を有する場合、前記複数の格子形スピーカーはそれぞれ前記ツイーターホーン及び前記ツイーター駆動ユニットが内装される密閉型エンクロージャーをさらに含む請求項１７〜１９の何れか一項に記載の格子アレイスピーカーシステム。
【請求項２４】
前記複数の格子形スピーカーはそれぞれ前記ツイーターホーン及び前記ツイーター駆動ユニットが内装される密閉型エンクロージャーをさらに含む請求項２０または２１に記載の格子アレイスピーカーシステム。
【請求項２５】
格子アレイスピーカーシステムにおいて、
水平方向の第１曲面及び垂直方向の第２曲面の何れか一曲面または両曲面に沿って連結されるように配列される複数の格子形スピーカーを含み、前記複数の格子形スピーカーはそれぞれ上部周りが四角形状部を有し、前記四角形状部の切断角部または直角の角部の内側に４つのウーファーフレームが与えられて、その本体全体がホーン形状でありながら上部から見て十字状を有する格子ホーンで具現するツイーターホーンと、
前記ツイーターホーンの下部に与えられ、前記ツイーターホーンを通じて高音を再生するツイーター駆動ユニットと、
前記４つのウーファーフレーム内にそれぞれ与えられる４つのウーファーホーンと、
前記４つのウーファーホーンの下部に与えられ、４つのウーファーホーンを通じて低音を再生するウーファー駆動ユニットとを含む格子アレイスピーカーシステム。
【請求項２６】
前記４つのウーファーホーンは前記ツイーターホーンのツイーター中心軸と平行するウーファー中心軸を基準として前記切断角部の方向に傾斜した状態で与えられるか、または前記ウーファー中心軸と同じ方向に非傾斜状態で与えられる請求項２５に記載の格子アレイスピーカーシステム。
【請求項２７】
前記複数の格子形スピーカーはそれぞれ前記４つのウーファーフレームの下部に結合されるウーファーホーンカバーをさらに含み、前記ツイーター駆動ユニットの下部に与えられる低音駆動ユニットを選択的に含む請求項２５に記載の格子アレイスピーカーシステム。
【請求項２８】
前記四角形状部が前記直角の角部を有する場合、前記複数の格子形スピーカーはそれぞれ互いに隣接した前記４つのウーファーフレームの間で前記四角形状部上に与えられる４つのダクトをさらに含む請求項２５に記載の格子アレイスピーカーシステム。
【請求項２９】
前記４つのダクトは前記四角形状部で前記ツイーターホーンの前記ホーン形状の一部分まで延長されて与えられる請求項２８に記載の格子アレイスピーカーシステム。
【請求項３０】
前記四角形状部が前記切断角部を有する場合、前記複数の格子形スピーカーはそれぞれ前記ツイーターホーン及び前記ツイーター駆動ユニットが内装され、前記切断角部に対応する位置にそれぞれダクトを有する開放型エンクロージャーをさらに含む請求項２５〜２７の何れか一項に記載の格子アレイスピーカーシステム。
【請求項３１】
前記四角形状部が前記直角の角部を有する場合、前記複数の格子形スピーカーはそれぞれ前記ツイーターホーン及び前記ツイーター駆動ユニットが内装される密閉型エンクロージャーをさらに含む請求項２５〜２７の何れか一項に記載の格子アレイスピーカーシステム。
【請求項３２】
前記複数の格子形スピーカーはそれぞれ前記ツイーターホーン及び前記ツイーター駆動ユニットが内装される密閉型エンクロージャーをさらに含む請求項２８または２９に記載の格子アレイスピーカーシステム。
【発明の詳細な説明】
【技術分野】
【０００１】
本発明は格子形スピーカー及びそれを備える格子アレイスピーカーシステムに関する。より具体的に、本発明はスピーカーを構成するツイーターホーンを格子ホーン（ｌａｔｔｉｃｅ  ｈｏｒｎ）で具現し、その際に、格子ホーンは上部周りが四角形状部を有し、前記四角形状部の切断角部または直角の角部の内側にそれぞれウーファーホーンを収容するウーファーフレームが与えられて、その本体全体がホーン形状（ｈｏｒｎ  ｔｙｐｅ）でありながら上部から見て十字状（ｃｒｏｓｓ  ｔｙｐｅ）を有するようにすることによって、高音と低音の伝達距離及び範囲が相当増加され、それにより従来技術に比べて全体的な音の伝達距離が広くて遠くまで伝達される音場（ｓｏｕｎｄ  ｆｉｅｌｄ）を形成するようになり、複数の格子形スピーカーそれぞれで発生した高音が重畳される部分で波面が実質的に一つの平面波を形成して干渉現象の発生が防止されるので、例えば公演場でも観客の位置に関係なく高音が充分伝達されることができる格子形スピーカー及びそれを備える格子アレイスピーカーシステムに関する。
【背景技術】
【０００２】
一般に、スピーカーは電気的エネルギーを物理的エネルギーに変換させてサウンドを再生するためのもので、サウンドソースによって音響または音の高低を出力する装置である。
【０００３】
このようなスピーカーの種類は再生方式によって分類すれば、ムービングコイル（ｍｏｖｉｎｇ  ｃｏｉｌ）方式のダイナミックスピーカー、静電型（ｅｌｅｃｔｒｏｓｔａｔｉｃ）スピーカー、リボン（ｒｉｂｂｏｎ）スピーカー、圧電型（ｐｉｅｚｏｅｌｅｃｔｒｉｃ）スピーカーがあり、その他の形態のスピーカーとして同軸スピーカーなどがある。
【０００４】
また、コンサート場などのような公演場では公演效果を極大化するために複数のスピーカーを例えば一方向（例えば、上下方向）に直列に連結した大型スピーカーであるラインスピーカーシステムが用いられている。
【０００５】
図１ａは従来技術による同軸スピーカーの断面図である。
図１ａによれば、同軸スピーカーは低音を再生するウーファー（Ｗｏｏｆｅｒ）である低音スピーカー１１と、低音スピーカー１１の上側に設置されて高音を発生するツイーター（Ｔｗｅｅｔｅｒ）である高音スピーカー１３と、低音スピーカー１１と高音スピーカー１３とを同軸上に連結する連結部材１５とを有する。連結部材１５の下部側は低音スピーカー１１に挿入結合され、上部側には高音スピーカー１３が収容されて結合される。その結果、低音スピーカー１１と高音スピーカー１３とが同軸上に連結される。
【０００６】
上述した従来技術による同軸スピーカーは、連結部材１５に低音スピーカー１１及び高音スピーカー１３が一体に結合されるので、高音スピーカー１３の位置を調節することができない。それにより、高音スピーカー１３の位置調節（志向角調節）による多様な音質の再生が難しいという短所がある。
【０００７】
上述した従来技術における問題点を解決するためのまた他の従来技術として、高音スピーカーの位置を調節することができる改善された同軸スピーカーが使われている。
【０００８】
より具体的に、図１ｂは従来技術による改善された同軸スピーカーの断面図であり、図１ｃは図１ｂに示す第１支持部材及び第２支持部材の分解斜視図である。
【０００９】
図１ｂ及び図１ｃによれば、改善された同軸スピーカーは、低音を発生する低音スピーカー（Ｗｏｏｆｅｒ）１１０と、仮想の垂直線を基準として低音スピーカー１１０と同軸上に位置され、同時に相対的に低音スピーカー１１０の上側に位置されて、高音を発生する高音スピーカー１２０とを有する。この場合、仮想の垂直線を基準として低音スピーカー１１０側を向ける面を下面、高音スピーカー１２０側を向ける面を上面とする。
【００１０】
低音スピーカー１１０は第１フレーム１１１と、第１フレーム１１１の下面に結合された第１プレート１１３と、第１プレート１１３の下面に結合された第１マグネット１１４と、第１マグネット１１４の下面に結合された第１ヨーク１１５と、周辺部側が第１フレーム１１１に結合された第１振動板１１７と、上端部側は第１振動板１１７の中央部側に結合され、下端部側は第１プレート１１３と第１ヨーク１１５との間に位置された第１ボイスコイル１１８とを有する。それによって、外部の電源が第１ボイスコイル１１８に印加されると、第１ボイスコイル１１８と第１マグネット１１４との作用によって第１ボイスコイル１１８が上下に振動し、それにより第１振動板１１７が上下に振動しながら低音の音響を発生する。
【００１１】
一方、高音スピーカー１２０は第２フレーム１２１と、第２フレーム１２１の内面に結合された第２ヨーク１２３と、第２ヨーク１２３の内面と所定間隔を有しながら第２ヨーク１２３の内部に順次に積層されて結合された第２マグネット１２４及び第２プレート１２５と、周辺部が第２フレーム１２５に結合された第２振動板１２７と、上部側は第２振動板１２７に結合され、下部側は第２ヨーク１２３と第２プレート１２５との間に位置された第２ボイスコイル１２８とを有する。それによって、外部の電流が第２ボイスコイル１２８に印加されると、第２ボイスコイル１２８と第２マグネット１２４との作用によって第２ボイスコイル１２８が上下に振動し、それにより第２振動板１２７が上下に振動しながら高音の音響を発生する。
【００１２】
上述した低音スピーカー１１０と高音スピーカー１２０は第１支持部材１３０と第２支持部材１４０によって同軸上に連結され、本実施例による高音スピーカー１２０は第１支持部材１３０及び第２支持部材１４０によって回転し、志向角も調節可能である。
【００１３】
より具体的に、第１支持部材１３０は下部側が低音スピーカー１１０に固定され、上部側は前記仮想の垂直線を中心に自転可能に形成され、下部支持部材１３１、中間支持部材１３４及び上部支持部材１３７を有する。また、下部支持部材１３１は円筒状に形成されて、下部側の外周面が第１ヨーク１１５に挿入されて固定される。下部支持部材１３１の中央部側の外周面には外側に突出して形成された支持枠１３１ａが形成され、上部側の外周面には長さ方向に複数の第１係止突起１３１ｂが形成される。
【００１４】
上述した図１ａ〜図１ｃに示す従来技術による同軸スピーカーは、例えばゾングチァングギュにより２００７年８月１０日に韓国特許出願第１０−２００７−００８０５２５号として出願され（発明の名称：「同軸スピーカー」）、２００９年６月３日に登録された韓国特許第１０−０９０２０８９号公報（特許文献１）に詳しく記述されている。
【００１５】
上述した図１ａ〜図１ｃに示す従来技術による同軸スピーカーでは、低音スピーカー１１、１１０と高音スピーカー１３、１２０が同軸で連結されるか、高音スピーカー１２０が第１支持部材１３０及び第２支持部材１４０によって回転し、志向角も調節可能であるという長所が達成されるが、相変らず以下の問題が発生する。
【００１６】
より具体的に、図１ｄは従来技術による同軸スピーカーを用いる場合の高音の伝播状態を概略的に示した図である。
【００１７】
図１ｄによれば、従来技術では、低音スピーカー１１、１１０が大きいホーン形状の第１振動板１１７を有する一方、高音スピーカー１３、１２０は相対的に小さな突出した曲面形状の第２振動板１２７を有する。それにより、図１ｄに示すように、高音スピーカー１３、１２０で発生した高音が第２フレーム１２１に沿って志向角の範囲（それにより相対的に狭い範囲）で広がっていく。この時、図１ｄに示すスピーカーが単独で用いられる場合は干渉現象が全くないが、上下または左右に互いに隣接して複数のスピーカーを配列したラインアレイスピーカーシステムを用いる場合、低音に比べて相対的に短い波長／高い周波数を有する高音は複数のスピーカーで発生された互いに異なる高音の間に相互干渉現象がよく発生される特徴がある。それにより、例えば広い公演場のような所では高音が特定位置の観客に伝達されなかったり弱く聞こえたりするという問題が発生する。
【００１８】
より具体的に、図１ｅは従来技術の同軸スピーカーを一方向に複数連結したラインスピーカーシステムを用いる場合の高音の伝播状態を概略的に示した図である。図１ｅでは３つの同軸スピーカーをライン配置したラインスピーカーシステムが例示的に示されているが、同軸スピーカーの数は２つまたは４つ以上用いられることができることは自明である。
【００１９】
図１ｅによれば、従来技術によるラインアレイスピーカーシステムでは、それぞれの同軸スピーカーで発生した高音が図１ｄに示すようにそれぞれの第２フレーム１２１に沿って広がっていく。この場合、それぞれの高音スピーカー１２０の振動板１２７が互いに離隔された状態に配置されるため、それぞれの振動板１２７で発生した高音の波面ＷＦ１、ＷＦ２、ＷＦ３が互いに重畳される。この時、高音波長が互いに経路差がないか、半波長の偶数倍に当たる位置では補強干渉（ＣＩ：ｃｏｎｓｔｒｕｃｔｉｖｅ  ｉｎｔｅｒｆｅｒｅｎｃｅ）が発生し、高音波長が互いに半波長の奇数倍に当たる位置では相殺干渉（ＤＩ：  ｄｅｓｔｒｕｃｔｉｖｅ  ｉｎｔｅｒｆｅｒｅｎｃｅ）が発生する。それによって、例えば公演場で図１ｅに示す従来技術によるラインスピーカーシステムを用いる場合、相殺干渉（ＤＩ）が発生する位置にいる観客には高音が伝達されなかったり弱く聞こえたりするという問題が発生する。
【００２０】
従って、上述した従来技術における問題点を解決するために、新しい方案が要求される。
【先行技術文献】
【特許文献】
【００２１】
【特許文献１】韓国特許第１０−０９０２０８９号公報
【発明の概要】
【発明が解決しようとする課題】
【００２２】
本発明は上述した問題点を解決するためのもので、スピーカーを構成するツイーターホーンを格子ホーンで具現し、その際に、格子ホーンは上部周りが四角形状部を有し、前記四角形状部の切断角部または直角の角部の内側にそれぞれウーファーホーンを収容するウーファーフレームが与えられて、その本体全体がホーン形状（ｈｏｒｎ  ｔｙｐｅ）でありながら上部から見て十字状（ｃｒｏｓｓ  ｔｙｐｅ）を有するようにすることによって、高音と低音の伝達距離と範囲が相当増加され、それによって従来技術に比べて全体的音の伝達距離が広くて遠くまで伝達される音場（ｓｏｕｎｄ  ｆｉｅｌｄ）を形成するようになり、複数の格子形スピーカーそれぞれで発生した高音が重畳される部分で波面が実質的に一つの平面波を形成するようになって、干渉現象の発生が防止されるので、例えば公演場でも観客の位置に関係なく高音が充分伝達されることができる格子形スピーカー及びそれを備える格子アレイスピーカーシステムを提供するためのものである。
【課題を解決するための手段】
【００２３】
本発明の第１特徴による格子形スピーカーは、上部周りが四角形状部を有し、前記四角形状部の切断角部または角部の内側に４つのウーファーフレームが与えられて、その本体全体がホーン形状でありながら上部から見て十字状を有する格子ホーンで具現するツイーターホーンと、前記ツイーターホーンの下部に与えられ、前記ツイーターホーンを通じて高音を再生するツイーター駆動ユニットと、前記４つのウーファーフレーム内にそれぞれ与えられる４つのウーファーホーンと、前記４つのウーファーホーンの下部に与えられ、４つのウーファーホーンを通じて低音を再生するウーファー駆動ユニットとを含むことを特徴とする。
【００２４】
本発明の第２特徴による格子形スピーカーは、上部周りが四角形状部を有し、前記四角形状部の切断角部または四角角部の内側上部及び下部にそれぞれ２つの上部ウーファーフレーム及び下部ウーファーフレームが与えられ、その全体的な内部本体の上部及び下部が非対称ホーン形状でありながら上部から見て十字状を有する非対称格子ホーンで具現するツイーターホーンと、前記ツイーターホーンの下部に与えられ、前記ツイーターホーンを通じて高音を再生するツイーター駆動ユニットと、前記２つの上部ウーファーフレーム及び下部ウーファーフレーム内にそれぞれ与えられる２つの上部ウーファーホーン及び下部ウーファーホーンと、前記２つの上部ウーファーホーン及び下部ウーファーホーンの下部にそれぞれ与えられ、前記２つの上部ウーファーホーン及び下部ウーファーホーンを通じて低音を再生するウーファー駆動ユニットとを含むことを特徴とする。
【００２５】
本発明の第３特徴による格子アレイスピーカーシステムは、水平方向平面及び垂直方向平面の中の何れか一方向または両方向の平面に沿って連結されるように配列される複数の格子形スピーカーを含み、前記複数の格子形スピーカーはそれぞれ上部周りが四角形状部を有し、前記四角形状部の切断角部または直角の角部の内側に４つのウーファーフレームが与えられて、その本体全体がホーン形状でありながら上部から見て十字状を有する格子ホーンで具現するツイーターホーンと、前記ツイーターホーンの下部に与えられ、前記ツイーターホーンを通じて高音を再生するツイーター駆動ユニットと、前記４つのウーファーフレーム内にそれぞれ与えられる４つのウーファーホーンと、前記４つのウーファーホーンの下部に与えられ、４つのウーファーホーンを通じて低音を再生するウーファー駆動ユニットとを含むことを特徴とする。
【００２６】
本発明の第４特徴による格子アレイスピーカーシステムは、水平方向の第１曲面及び垂直方向の第２曲面の中の何れか一曲面または両曲面に沿って連結されるように配列される複数の格子形スピーカーを含み、前記複数の格子形スピーカーはそれぞれ上部周りが四角形状部を有し、前記四角形状部の切断角部または直角四角角部の内側上部及び下部にそれぞれ２つの上部ウーファーフレーム及び下部ウーファーフレームが与えられ、その全体的な内部本体の上部及び下部が非対称ホーン形状でありながら上部から見て十字状を有する非対称格子ホーンで具現するツイーターホーンと、前記ツイーターホーンの下部に与えられ、前記ツイーターホーンを通じて高音を再生するツイーター駆動ユニットと、前記２つの上部ウーファーフレーム及び下部ウーファーフレーム内にそれぞれ与えられる２つの上部ウーファーホーン及び下部ウーファーホーンと、前記２つの上部ウーファーホーン及び下部ウーファーホーンの下部にそれぞれ与えられ、前記２つの上部ウーファーホーン及び下部ウーファーホーンを通じて低音を再生するウーファー駆動ユニットとを含むことを特徴とする。
【発明の効果】
【００２７】
本発明による格子形スピーカー及びそれを備える格子アレイスピーカーシステムを用いれば次のような效果を奏する。
１．格子形スピーカーによって音が所定方向に集められて高音と低音の伝達距離及び範囲が相当増加される。その結果、従来技術に比べて全体的な音の伝達距離が広くて遠くまで伝達される音場形成が可能になって、より広い空間で音響效果を得ることができる。
２．格子形スピーカーに用いられる格子ホーンは外部の横及び縦方向の長さと深さ方向の長さを増加させることができてサイズの大きい格子ホーンを使用することができる。それにより、高音領域の中で最も低い高音の限界周波数をより低めることができ、高い音圧を与えてより鮮明な中音及び高音の再生が可能になる。
３．本発明の格子アレイスピーカーシステムを用いれば、複数の格子形スピーカーそれぞれで発生した高音が重畳される部分で波面が実質的に一つの平面波を形成するようになって、干渉現象の発生が防止されるので、例えば公演場でも観客の位置に関係なく高音が十分伝達されることができる。
【００２８】
本発明の追加的な長所は、同一または類似する参照番号が同じ構成要素を表す添付図面を参照して以下の説明から明確に理解され得ることができる。
【図面の簡単な説明】
【００２９】
【図１ａ】従来技術による同軸スピーカーの断面図である。
【図１ｂ】従来技術による改善された同軸スピーカーの断面図である。
【図１ｃ】図１ｂに示す第１支持部材及び第２支持部材の分解斜視図である。
【図１ｄ】図１ｂに示す従来技術による改善された同軸スピーカーで高音スピーカーの問題点を説明するための図である。
【図１ｅ】従来技術の同軸スピーカーを一方向に複数連結したラインスピーカーシステムを用いる場合の高音の伝播状態を概略的に示した図である。
【図２ａ】本発明の第１実施例による格子形スピーカーの上部斜視図である。
【図２ｂ】図２ａに示す本発明の第１実施例による格子形スピーカーの側面図である。
【図２ｃ】図２ａに示す本発明の第１実施例による格子形スピーカーの下部斜視図及びウーファーホーンカバーを除去した状態の下部斜視図である。
【図２ｄ】図２ａに示す本発明の第１実施例による格子形スピーカーが開放型エンクロージャー内に装着された上部斜視図及び開放型エンクロージャーの斜視図である。
【図２ｅ】本発明の第２実施例による格子形スピーカーの上部斜視図である。
【図２ｆ】図２ｅに示す本発明の第２実施例による格子形スピーカーの側面図である。
【図２ｇ】図２ｆに示す本発明の第２実施例による格子形スピーカーの変形実施例の斜視図である。
【図２ｈ】図２ａ〜図２ｇに示す本発明の第１実施例及び第２実施例による格子形スピーカーで格子ホーンの上部の四角形状部が４つの直角の角部を有する変形実施例の平面図及び閉鎖型エンクロージャーの斜視図である。
【図２ｉ】図２ｈに示す本発明の変形実施例による格子形スピーカーが格子ホーンの四角形状部上に４つのダクトを備えることを示した下部斜視図及び平面図である。
【図２ｊ】本発明の第３実施例による格子形スピーカーの上部斜視図及び側面図である。
【図２ｋ】図２ｊに示す本発明の第３実施例による格子形スピーカーの開放型エンクロージャーを除去した状態の斜視図及び側面図である。
【図２ｌ】本発明の第１実施例による格子アレイスピーカーシステムを示した図である。
【図２ｍ】本発明の第２実施例による格子アレイスピーカーシステムを示した図である。
【図２ｎ】図２ｌ及び図２ｎにそれぞれ示す本発明の第１実施例及び第２実施例による格子アレイスピーカーシステムで用いられる複数の格子形スピーカーによって発生した高音波面の伝播状態を示した図である。
【発明を実施するための形態】
【００３０】
以下、本発明の実施例及び図面を参照して本発明を詳しく記述する。
図２ａは本発明の第１実施例による格子形スピーカーの上部斜視図であり、図２ｂは図２ａに示す本発明の第１実施例による格子形スピーカーの側面図であり、図２ｃは図２ａに示す本発明の第１実施例による格子形スピーカーの下部斜視図及びウーファーホーンカバーを除去した状態の下部斜視図であり、図２ｄは図２ａに示す本発明の第１実施例による格子形スピーカーが開放型エンクロージャー内に装着された上部斜視図及び開放型エンクロージャーの斜視図である。
【００３１】
図２ａ〜図２ｄによれば、本発明の第１実施例による格子形スピーカー２００は上部周りが四角形状部２２１ａを有し、前記四角形状部２２１ａの切断角部２２１ｂの内側に４つのウーファーフレーム２１７ｂが与えられて、その本体全体がホーン形状（ｈｏｒｎ  ｔｙｐｅ）でありながら上部から見て十字状（ｃｒｏｓｓ  ｔｙｐｅ）を有する格子ホーン（ｌａｔｔｉｃｅ  ｈｏｒｎ）で具現するツイーターホーン２２１と、前記ツイーターホーン２２１の下部に与えられ、前記ツイーターホーン２２１を通じて高音を再生するツイーター駆動ユニット（ｔｗｉｔｔｅｒ  ｄｒｉｖｅｒ  ｕｎｉｔ）２２３と、前記４つのウーファーフレーム２１７ｂ内にそれぞれ与えられる４つのウーファーホーン２１７ａと、前記４つのウーファーホーン２１７ａの下部に与えられ、４つのウーファーホーン２１７ａを通じて低音を再生するウーファー駆動ユニット（ｗｏｏｆｅｒ  ｄｒｉｖｅｒ  ｕｎｉｔ）２１３とを含むことを特徴とする。
【００３２】
上述した本発明の第１実施例による格子形スピーカー２００は、前記ツイーターホーン２２１及び前記ツイーター駆動ユニット２２３が内装される開放型エンクロージャー２０２をさらに含むことができる。
【００３３】
以下では本発明の第１実施例による格子形スピーカー２００の具体的な構成及び動作を詳しく記述する。
【００３４】
まず、本発明の第１実施例による格子形スピーカー２００はツイーターホーン２２１を含む。ツイーターホーン２２１は格子ホーンで具現される。ここで格子ホーンは上部周りが四角形状部２２１ａを有し、四角形状部２２１ａの切断角部２２１ｂの内側に４つのウーファーフレーム２１７ｂが与えられて、その本体全体がホーン形状（ｈｏｒｎ  ｔｙｐｅ）でありながら上部から見て十字状（ｃｒｏｓｓ  ｔｙｐｅ）を有する。また、４つの切断角部２２１ｂは四角形状部２２１ａの四つの頂点でそれぞれ直角三角形部が切断された形状を有する。このような切断角部２２１ｂの内側には４つのウーファーフレーム２１７ｂが与えられる。４つのウーファーフレーム２１７ｂはそれぞれツイーターホーン２２１の上下方向に沿って貫通して与えられる（図２ｂ参照）。この場合、４つのウーファーフレーム２１７ｂは下部が開放された開放型ウーファーフレーム２１７ｂである。
【００３５】
一方、ツイーターホーン２２１の下部にはツイーター駆動ユニット２２３が与えられる。ツイーター駆動ユニット２２３は上部プレート及び下部プレートと、上部プレートと下部プレートとの間に与えられるマグネットからなるツイーター磁気回路部材２２４と、ツイーター磁気回路部材２２４の下部に与えられるツイーター駆動部２２５とで構成される。このツイーター駆動ユニット２２３はツイーターホーン２２１を通じて高音を再生する。
【００３６】
一方、本発明の第１実施例による格子形スピーカー２００は４つのウーファーホーン２１７ａを含む。この４つのウーファーホーン２１７ａはそれぞれツイーターホーン２２１の切断角部２２１ｂの内側に与えられる４つのウーファーフレーム２１７ｂ内に与えられる。この場合、４つのウーファーホーン２１７ａはツイーターホーン２２１のツイーター中心軸Ｃと平行するウーファー中心軸Ｃ１を基準として切断角部２２１ｂの方向に所定角度だけ傾斜した状態で（即ち、Ｃ２方向に沿って）与えられることができる（図２ｂ参照）。しかし、本発明における技術者は４つのウーファーホーン２１７ａがウーファー中心軸Ｃ１と同じ方向に（即ち、Ｃ１方向に沿って非傾斜状態に）与えられることができることを十分理解し得る。
【００３７】
また、４つのウーファーホーン２１７ａの下部にはそれぞれウーファー駆動ユニット２１３が与えられる。ウーファー駆動ユニット２１３は上部プレート及び下部プレートと、上部プレートと下部プレートとの間に与えられるマグネットからなるウーファー磁気回路部材２１４と、ウーファー磁気回路部材２１４の下部に与えられるウーファー駆動部２１５とで構成される。このウーファー駆動ユニット２１３は４つのウーファーホーン２１７ａを通じて低音を再生する。
【００３８】
また、本発明の第１実施例による格子形スピーカー２００は開放型エンクロージャー２０２をさらに含むことができる。開放型エンクロージャー２０２にはツイーターホーン２２１及びツイーター駆動ユニット２１３が内装される。開放型エンクロージャー２０２はツイーターホーン２２１の４つの切断角部２２１ａに対応する位置にそれぞれダクト（ｄｕｃｔ）２０２ａを有する。このような開放型エンクロージャー２０２を用いれば、ウーファー駆動ユニット２１３によって生成された低音が４つのウーファーホーン２１７ａを通じて再生される以外に、４つのウーファーフレーム２１７ｂの開放された下部を通じて開放型エンクロージャー２０２内で反射された後４つのダクト２０２ａを通じて伝達されることができるので、低音がさらに良好に再生されることができる。
【００３９】
図２ｅは本発明の第２実施例による格子形スピーカーの上部斜視図であり、図２ｆは図２ｅに示す本発明の第２実施例による格子形スピーカーの側面図である。
【００４０】
図２ｅ及び図２ｆを図２ａ〜図２ｄとともに参照すれば、本発明の第２実施例による格子形スピーカー２００は４つのウーファーホーン２１７ａが与えられる４つのウーファーフレーム２１７ｂの下部にそれぞれ結合されるウーファーホーンカバー２１７ｃが与えられるという点を除いて、図２ａ〜図２ｄに示す本発明の第１実施例による格子形スピーカー２００とその構成が実質的に同じである点に留意すべきである。
【００４１】
上述したウーファーホーンカバー２１７ｃを用いる場合、ウーファー駆動ユニット２１３によって生成された低音がウーファーホーンカバー２１７ｃによって遮断されて開放型エンクロージャー２０２内に伝達される低音の音量が十分でなくて開放型エンクロージャー２０２内で反射された後４つのダクト２０２ａを通じて伝達される低音の音量も減少されるため、低音をさらに良好に再生する程度が低くなる。このような問題を解決するために、本発明では別途の低音駆動ユニットを用いてもよい。
【００４２】
より具体的に、図２ｇは図２ｆに示す本発明の第２実施例による格子形スピーカーの変形実施例の斜視図である。
【００４３】
図２ｇを図２ａ〜図２ｆとともに参照すれば、本発明の第２実施例の変形実施例による格子形スピーカー２００は、図２ｆに示す本発明の第２実施例による格子形スピーカー２００のツイーター駆動ユニット２２３の下部に与えられる低音駆動ユニット２４０をさらに含むことができる。この低音駆動ユニット２４０は選択オプションとして必ず用いるべきものではない。上述した低音駆動ユニット２４０は、例えばウーファー駆動ユニット２１３と同じ構成を有することができる。この場合、ウーファー駆動ユニット２１３によって生成された低音の中で開放型エンクロージャー２０２内に伝達される低音と低音駆動ユニット２４０によって生成された低音が開放型エンクロージャー２０２内で反射された後４つのダクト２０２ａを通じて伝達されるので、低音を良好に再生することができる。
【００４４】
代案として、図２ｇに示す低音駆動ユニット２４０はウーファー駆動ユニット２１３と異なる構成を有することができる。より具体的に、例えばウーファー駆動ユニット２１３は相対的に高い音の中音を生成するように構成され、低音駆動ユニット２４０は相対的に低い音の低音を生成するように構成されることができる。この場合、図２ｇに示す本発明の変形実施例による格子形スピーカー２００はツイーター駆動ユニット２２３による高音、ウーファー駆動ユニット２１３による中音、及び低音駆動ユニット２４０による低音を全部生成して再生することができるスピーカーの機能を有することができる。
【００４５】
図２ｈは図２ａ〜図２ｇに示す本発明の第１実施例及び第２実施例による格子形スピーカーで格子ホーンの上部の四角形状部が４つの直角の角部を有する変形実施例の平面図及び閉鎖型エンクロージャーの斜視図である。
【００４６】
図２ｈを図２ａ〜図２ｇとともに参照すれば、本発明の変形実施例による格子形スピーカー２００は格子ホーンで具現されるツイーターホーン２２１の上部が図２ａ〜図２ｇに示すような４つの直角の角部２２１ｃを有する四角形状部２２１ａを有し、図２ｄに示す開放型エンクロージャー２０２の代わりに密閉型エンクロージャー２０２が用いられる点を除いて、図２ａ〜図２ｇに示す本発明のそれぞれの実施例による格子形スピーカー２００とその構成が実質的に同じである。従って、本発明の変形実施例による格子形スピーカー２００では４つのウーファーフレーム２１７ｂも四角形状部２２１ａの直角の角部２２１ｃの内側に与えられる。
【００４７】
上記図２ｈに示す本発明の変形実施例による格子形スピーカー２００は密閉型エンクロージャー２０２をさらに含むことができる。密閉型エンクロージャー２０２には図２ａ〜図２ｆに示す本発明の格子形スピーカー２００のツイーターホーン２２１及びツイーター駆動ユニット２２３が内装されるか、または図２ｇに示す本発明の格子形スピーカー２００のツイーターホーン２２１、ツイーター駆動ユニット２２３、及び低音駆動ユニット２４０が内装される。このような密閉型エンクロージャー２０２には、例えば図２ｄに示す開放型エンクロージャー２０２のダクト２０２ａが与えられないことは自明である。それにより、ウーファーホーン２１７ａ及びツイーターホーン２２１で発生された低音及び高音の中で一部は密閉型エンクロージャー２０２内で反射されて、低音及び高音の音量を増加させるだけでなく、低音の再生が良好になって高音の音質が向上する。
【００４８】
図２ｉは図２ｈに示す本発明の変形実施例による格子形スピーカーが格子ホーンの四角形状部上に４つのダクトを備えることを示した下部斜視図及び平面図である。
図２ｉを図２ｈとともに参照すれば、本発明の変形実施例による格子形スピーカー２００は互いに隣接したウーファーフレーム２１７ｂの間でツイーターホーン２２１の四角形状部２２１ａ上に与えられる４つのダクト２０２ｂをさらに含む点を除いて、図２ｈに示す本発明の変形実施例による格子形スピーカー２００とその構成が実質的に同じである。このように図２ｉに示す本発明の変形実施例による格子形スピーカー２００は４つのダクト２０２ｂがツイーターホーン２２１の四角形状部２２１ａ上に与えられるので、図２ｈに示す密閉型エンクロージャー２０２をさらに含むことができる。この場合、図２ａ〜図２ｆに示す格子形スピーカー２００のウーファー駆動ユニット２１３及び図２ｇに示す格子形スピーカー２００のウーファー駆動ユニット２１３及び低音駆動ユニット２４０によって生成された低音は密閉型エンクロージャー２０２内で反射されて四角形状部２２１ａ上に与えられた４つのダクト２０２ｂを通じて伝達されることができる。
【００４９】
上記図２ｉに示す４つのダクト２０２ｂはツイーターホーン２２１の四角形状部２２１ａでツイーターホーン２２１のホーン形状の一部分まで延長されて与えられることができるという点に留意すべきである（図２ｉ参照）。
【００５０】
図２ｊは本発明の第３実施例による格子形スピーカーの上部斜視図及び側面図であり、図２ｋは図２ｊに示す本発明の第３実施例による格子形スピーカーの開放型エンクロージャーを除去した状態の斜視図及び側面図である。
【００５１】
図２ｊ及び図２ｋを図２ａ〜図２ｉとともに参照すれば、本発明の第３実施例による格子形スピーカー２００は上部周りが四角形状部２２１ａを有し、前記四角形状部２２１ａの切断角部２２１ｂまたは四角角部（図示しない）の内側上部及び下部にそれぞれ２つの上部ウーファーフレーム２１７ｂ１及び下部ウーファーフレーム２１７ｂ２が与えられ、その全体的な内部本体の上部及び下部が非対称ホーン形状（ａｓｙｍｍｅｔｒｉｃ  ｈｏｒｎ  ｔｙｐｅ）でありながら上部から見て十字状（ｃｒｏｓｓ  ｔｙｐｅ）を有する非対称格子ホーン（ａｓｙｍｍｅｔｒｉｃ  ｌａｔｔｉｃｅ  ｈｏｒｎ）で具現するツイーターホーン２２１と、前記ツイーターホーン２２１の下部に与えられ、前記ツイーターホーン２２１を通じて高音を再生するツイーター駆動ユニット２２３と、前記２つの上部ウーファーフレーム２１７ｂ１及び下部ウーファーフレーム２１７ｂ２内にそれぞれ与えられる２つの上部ウーファーホーン２１７ａ１及び下部ウーファーホーン２１７ａ２と、前記２つの上部ウーファーホーン２１７ａ１及び下部ウーファーホーン２１７ａ２の下部にそれぞれ与えられ、前記２つの上部ウーファーホーン２１７ａ１及び下部ウーファーホーン２１７ａ２を通じて低音を再生するウーファー駆動ユニット２１３とを含むことを特徴とする。
【００５２】
上述した四角形状部２２１ａの四角角部（図示しない）は図２ｈ及び図２ｉに示す直角の角部２２１ｃで具現されるか（この場合、四角形状部２２１ａは正方形または長方形で、２つの上部ウーファーフレーム２１７ｂ１の間の離隔距離と２つの下部ウーファーフレーム２１７ｂ２の間の離隔距離は同一）または２つの上部角部は９０度より大きい角度の鈍角角部であり、２つの下部角部は９０度より小さい角度の鋭角角部（以下「四角角部」とする）で具現されることができる（この場合、四角形状部２２１ａは台形で、２つの上部ウーファーフレーム２１７ｂ１の間の離隔距離が２つの下部ウーファーフレーム２１７ｂ２の間の離隔距離より短い）。
【００５３】
また、本発明の第３実施例による格子形スピーカー２００では、ツイーターホーン２２１が非対称格子ホーンで具現される。より具体的に、ツイーターホーン２２１は上部ホーン部分２２１ｕの長さが短く、下部ホーン部分２２１ｄの長さが長くて、２つの側面ホーン部分２２１ｓは上部ホーン部分２２１ｕと連結された部分の長さが下部ホーン部分２２１ｄと連結された部分の長さより短い非対称格子ホーン形状を有する。
【００５４】
また、本発明の第３実施例による格子形スピーカー２００は前記ツイーターホーン２２１及び前記ツイーター駆動ユニット２２３が内装され、前記切断角部２２１ａに対応する位置にそれぞれダクト２０２ａを備える開放型エンクロージャー２０２をさらに含むことができる。
【００５５】
代案として、本発明の第３実施例による格子形スピーカー２００では四角形状部２２１ａが図２ｈに示すような直角の角部２２１ｃまたは四角角部（図示しない）を有する四角形状部２２１ａで具現されることができる。この場合、本発明の第３実施例による格子形スピーカー２００は図２ｊに示すダクト２０２ａを備える開放型エンクロージャー２０２の代わりにダクト２０２ａのない閉鎖型エンクロージャー２０２をさらに含むことができる。
【００５６】
また、本発明における技術者であれば、本発明の第３実施例による格子形スピーカー２００でも図２ｅ及び図２ｆに示すウーファーホーンカバー２１７ｃ、図２ｇに示す低音駆動ユニット２４０、及び図２ｉに示すツイーターホーン２２１の四角形状部２２１ａ上に与えられる４つのダクト２０２ｂが用いられることができることを充分理解し得る。
【００５７】
上述した本発明の第３実施例による格子形スピーカー２００では、非対称格子ホーンで具現されるツイーターホーン２２１によって高音が長さの短い上部ホーン部分２２１ｕの方向より長さの長い下部ホーン部分２２１ｄの方向によりよく伝達されるので、高音が特定方向（図４ｊ及び図４ｋでは下方向）の志向性を有するようになる。それによって、本発明の第３実施例による格子形スピーカー２００を用いる場合、特定方向に高音が充分伝達されることができる。
【００５８】
図２ｌは本発明の第１実施例による格子アレイスピーカーシステムを示した図である。図２ｌに示す本発明の第１実施例による格子アレイスピーカーシステムは後述するように平面格子アレイスピーカーシステムである。
【００５９】
図２ｌによれば、本発明の第１実施例による平面格子アレイスピーカーシステム２０１は、水平方向平面（ｈｏｒｉｚｏｎｔａｌ  ｐｌａｉｎ  ｓｕｒｆａｃｅ）及び垂直方向平面（ｖｅｒｔｉｃａｌ  ｐｌａｉｎ  ｓｕｒｆａｃｅ）の中の何れか一方向または両方向の平面に沿って連結されるように配列される複数の格子形スピーカー２００を含み、前記複数の格子形スピーカー２００はそれぞれ図２ａ〜図２ｉに示す格子形スピーカー２００で具現されることができる。
【００６０】
即ち、複数の格子形スピーカー２００はそれぞれ上部周りが四角形状部２２１ａを有し、前記四角形状部２２１ａの切断角部２２１ｂまたは直角の角部２２１ｃの内側に４つのウーファーフレーム２１７ｂが与えられ、その本体全体がホーン形状でありながら上部から見て十字状を有する格子ホーンで具現するツイーターホーン２２１と、前記ツイーターホーン２２１の下部に与えられ、前記ツイーターホーン２２１を通じて高音を再生するツイーター駆動ユニット２２３と、前記４つのウーファーフレーム２１７ｂ内にそれぞれ与えられる４つのウーファーホーン２１７ａと、前記４つのウーファーホーン２１７ａの下部に与えられ、４つのウーファーホーン２１７ａを通じて低音を再生するウーファー駆動ユニット２１３とを含む（図２ａ〜図２ｉに示す格子形スピーカー２００参照）。
【００６１】
前記複数の格子形スピーカー２００が水平方向の平面に沿って連結されるように配列される格子アレイスピーカーシステム２０１は、水平方向平面格子アレイスピーカーシステム２０１ａと称され、複数の格子形スピーカー２００が垂直方向の平面に沿って連結されるように配列される格子アレイスピーカーシステム２０１は垂直方向平面格子アレイスピーカーシステム２０１ｂと称され、複数の格子形スピーカー２００が水平方向及び垂直方向の平面に沿って連結されるように配列される格子アレイスピーカーシステム２０１は立体平面格子アレイスピーカーシステム２０１ｃと称されることができる。総称して平面格子アレイスピーカーシステム２０１を構成する。
【００６２】
図２ｍは本発明の第２実施例による格子アレイスピーカーシステムを示した図である。図２ｍに示す本発明の第２実施例による格子アレイスピーカーシステムは後述するように曲面格子アレイスピーカーシステムである。
【００６３】
図２ｍによれば、本発明の第２実施例による格子アレイスピーカーシステム２０１は水平方向の第１曲面（ｃｕｒｖｅｄ  ｓｕｒｆａｃｅ）及び垂直方向の第２曲面の中の何れか一曲面または両曲面に沿って連結されるように配列される複数の格子形スピーカー２００を含み、前記複数の格子形スピーカー２００はそれぞれ図２ａ〜図２ｉに示す格子形スピーカー２００で具現されることができる。
【００６４】
即ち、複数の格子形スピーカー２００はそれぞれ上部周りが四角形状部２２１ａを有し、前記四角形状部２２１ａの切断角部２２１ｂまたは直角の角部２２１ｃの内側に４つのウーファーフレーム２１７ｂが与えられ、その本体全体がホーン形状でありながら上部から見て十字状を有する格子ホーンで具現するツイーターホーン２２１と、前記ツイーターホーン２２１の下部に与えられ、前記ツイーターホーン２２１を通じて高音を再生するツイーター駆動ユニット２２３と、前記４つのウーファーフレーム２１７ｂ内にそれぞれ与えられる４つのウーファーホーン２１７ａと、前記４つのウーファーホーン２１７ａの下部に与えられて、４つのウーファーホーン２１７ａを通じて低音を再生するウーファー駆動ユニット２１３とを含む（図２ａ〜図２ｉに示す格子形スピーカー２００参照）。
【００６５】
前記複数の格子形スピーカー２００が水平方向の第１曲面に沿って連結されるように配列される格子アレイスピーカーシステム２０１は水平方向曲面格子アレイスピーカーシステム２０１ｄと称されて、複数の格子形スピーカー２００が垂直方向の第２曲面に沿って連結されるように配列される格子アレイスピーカーシステム２０１は垂直方向曲面格子アレイスピーカーシステム２０１ｅと称されて、複数の格子形スピーカー２００が水平方向及び垂直方向の曲面に沿って連結されるように配列される格子アレイスピーカーシステム２０１は立体曲面格子アレイスピーカーシステム２０１ｆと称されることができ、総称して曲面格子アレイスピーカーシステム２０１を構成する。
【００６６】
図２ｎは図２ｌ及び図２ｍにそれぞれ示す本発明の第１実施例及び第２実施例による格子アレイスピーカーシステムで用いられる複数の格子形スピーカーによって発生した高音波面の伝播状態を示した図である。
【００６７】
図２ｎを図２ａ〜図２ｉとともに参照すれば、本発明の第１実施例及び第２実施例による格子アレイスピーカーシステム２０１で用いられる複数の格子形スピーカー２２０の格子ホーンで具現されるそれぞれのツイーターホーン２２１によって伝達される。この場合、複数のツイーターホーン２２１の四角形状部２２１ａが互いに隣接した状態で配列されるので、複数のツイーターホーン２２１によって伝播される高音の波面ＷＦが図２ｎに示すように実質的に一つの平面波を形成する。それによって、図１ｅに示す従来技術とは違って複数のツイーターホーン２２１を通じて伝達される複数の高音の間に干渉現象が実質的に発生しない。
【００６８】
上述したように、図２ａ〜図２ｎを参照して説明した本発明の実施例による格子形スピーカー２００及び格子アレイスピーカーシステム２０１では、特に格子ホーンが十字状方向に沿って大きい志向角を有するので、格子形スピーカー２００によって発生される高音と低音の伝達距離と範囲が相当増加されて高音が伝達されなかったり弱く伝達されたりする従来技術における問題点が解決されることができる。
【００６９】
また、格子形スピーカー２００によって音が所定方向に集められて高音と低音の伝達距離と範囲が相当増加される。その結果、従来技術に比べて全体的音の伝達距離が広くて遠くまで伝達される音場を形成することができて、より広い空間で音響效果を得ることができる。
【００７０】
また、格子形スピーカー２００に用いられる格子ホーンは外部の横及び縦方向の長さと深さ方向の長さを増加させることができて、大きいサイズの格子ホーンを使用することができる。それによって、高音領域の中で最も低い高音の限界周波数をより低めることができ、高い音圧を与えてより鮮明な中音及び高音の再生が可能になる。
【００７１】
また、本発明の格子アレイスピーカーシステム２０１を用いる場合、複数の格子形スピーカー２００のそれぞれで発生した高音が重畳される部分で波面が実質的に一つの平面波を形成するようになって干渉現象の発生が防止されるので、例えば公演場でも観客の位置に関係なく高音が充分伝達されることができる。
【産業上の利用可能性】
【００７２】
多様な変形例が本発明の範囲を逸脱することなく本明細書に記述され、例示した構成及び方法で実施することができるので、前述した詳細な説明または添付図面に示された全ての事項は例示的なものであって、本発明を制限するものではない。従って、本発明の範囲は上述した例示的な実施例によって制限されなく、以下の特許請求範囲及びその均等物によって定められるべきである。
【図１ａ】
2017520196.tif 000003
【図１ｂ】
2017520196.tif 000004
【図１ｃ】
2017520196.tif 000005
【図１ｄ】
2017520196.tif 000006
【図１ｅ】
2017520196.tif 000007
【図２ａ】
2017520196.tif 000008
【図２ｂ】
2017520196.tif 000009
【図２ｃ】
2017520196.tif 000010
【図２ｄ】
2017520196.tif 000011
【図２ｅ】
2017520196.tif 000012
【図２ｆ】
2017520196.tif 000013
【図２ｇ】
2017520196.tif 000014
【図２ｈ】
2017520196.tif 000015
【図２ｉ】
2017520196.tif 000016
【図２ｊ】
2017520196.tif 000017
【図２ｋ】
2017520196.tif 000018
【図２ｌ】
2017520196.tif 000019
【図２ｍ】
2017520196.tif 000020
【図２ｎ】
2017520196.tif 000021
【国際調査報告】
2017520196.tif 000022
2017520196.tif 000023
2017520196.tif 000024
2017520196.tif 000025